(57)【要約】      （修正有）【課題】介護補助マットあるいは折り畳み式いすを用いて、ベッドや畳の上の寝床と車いすとの間を移動させることにより、被介護者及び介護者の負担を大幅に軽減する介護補助装置を提供する。【解決手段】介護補助マットあるいは折り畳み式いすを用いて、被介護者をベッド２や畳の上の寝床から車いす３に移動させる介護補助装置１である。介護補助マット３１あるいは折り畳み式いすは、シートクッション部と、このシートクッション部に屈曲可能に連結されるシートバック部とを備え、紐状部材の一端部がシートクッション部に、他端部がシートバック部にそれぞれ連結される。この紐状部材のジョイント金具に、吊り下げ部材２５のフックを引っ掛け、吊り下げることで、シートクッション部とシートバック部とがいす状に変形する。【選択図】図１
0003153589.tif 000002
【実用新案登録請求の範囲】
【請求項１】
吊り下げ部材にて吊り下げられる介護補助マットあるいは折り畳み式いすを用いて、被介護者をベッドから車いすに移動させるのに用いる介護補助装置であって、
前記介護補助マットあるいは折り畳み式いすが、シートクッション部と、このシートクッション部に屈曲可能に連結されるシートバック部と、一端部が前記シートクッション部に、他端部が前記シートバック部にそれぞれ連結される紐状部材と、この紐状部材に取り付けられ前記吊り下げ部材のフックが引っ掛けられるジョイント金具とを備え、
前記ジョイント金具は、前記介護補助マットあるいは折り畳み式いすが前記吊り下げ部材にて吊り下げられた状態で前記シートクッション部とシートバック部とをいす状に屈曲させる位置に設けられていることを特徴とする介護補助装置。
【請求項２】
前記ジョイント金具は、回転アームから吊り下げられる吊り金具に係止され、
前記ベッドの横に載置された状態では、前記回転アームは、前記ベッド上と、前記車いす上との間を回転移動可能とされていることを特徴とする請求項１記載の介護補助装置。
【請求項３】
前記回転アームは、スライド可動軸の上部に設けられ、前記スライド可動軸は、基台上に設けられる支持柱に対し昇降可能に設けられていることを特徴とする請求項２記載の介護補助装置。
【請求項４】
前記基台には、キャスターが設けられ、移動可能であることを特徴とする請求項３記載の介護補助装置。
【考案の詳細な説明】
【技術分野】
【０００１】
本考案は、介護補助マットあるいは折り畳み式いすを用いた介護補助装置、主として身体障害者や寝たきり老人などの被介護者を、ベッドや畳の上の寝床と車いすとの間で移動させる際に利用されるものに関するものである。
【背景技術】
【０００２】
介護者にとって、身体障害者や寝たきり老人などの被介護者を、ベッドや畳の上の寝床から車いすに移動させるのは、被介護者を抱きかかえて移動させるなど、大きな負担となっている。一方、被介護者も、介護者に面倒を掛けているという精神的負担が大きい。
【０００３】
そこで、介護者の負担を軽減するために、一人の介護者でも、被介護者の、ベッドと車いすとの間の移動を楽にできるようにした介護用リフトが提案されている（例えば、特許文献１，２参照）。
【先行技術文献】
【特許文献】
【０００４】
【特許文献１】特開２０００−２９６１５６号公報
【特許文献２】特開２００１−１１２８２３号公報
【考案の概要】
【考案が解決しようとする課題】
【０００５】
しかしながら、特許文献１に記載のもののように、形状が定まったいすを用いると、そのいすに被介護者を着座させるのが大変である。特許文献２に記載のものでは、被介護者を搬送するのにネットを用いているため、搬送の際に被介護者は無理な姿勢を強いられ、被介護者の負担が大きくなる。
【０００６】
この考案は、吊り下げ部材にて吊り下げられる介護補助マットあるいは折り畳み式いすを用いて、ベッドや畳の上の寝床と車いすとの間を移動させることにより、被介護者及び介護者の負担を大幅に軽減することができる介護補助マットあるいは折り畳み式いすを用いた介護補助装置を提供することを目的とする。
【課題を解決するための手段】
【０００７】
請求項１の考案は、吊り下げ部材にて吊り下げられる介護補助マットあるいは折り畳み式いすを用いて、被介護者をベッドから車いすに移動させるのに用いる介護補助装置であって、前記介護補助マットあるいは折り畳み式いすが、シートクッション部と、このシートクッション部に屈曲可能に連結されるシートバック部と、一端部が前記シートクッション部に、他端部が前記シートバック部にそれぞれ連結される紐状部材と、この紐状部材に取り付けられ前記吊り下げ部材のフックが引っ掛けられるジョイント金具とを備え、前記ジョイント金具は、前記介護補助マットあるいは折り畳み式いすが前記吊り下げ部材にて吊り下げられた状態で前記シートクッション部とシートバック部とをいす状に屈曲させる位置に設けられていることを特徴とする。
【０００８】
このようにすれば、介護補助マットあるいは折り畳み式いすが吊り下げ部材に吊り下げられることで、シートクッション部とシートバック部とをいす状に屈曲させるようにしているので、被介護者を、いすに座っているのと同様に無理のない姿勢で、ベッドや畳の上の寝床から車いすに、あるいは車いすからベッドや畳の上の寝床に移動させることができる。
【０００９】
請求項２に記載のように、前記ジョイント金具は、回転アームから吊り下げられる吊り金具に係止され、前記ベッドや畳の上の寝床の横に載置された状態では、前記回転アームは、前記ベッドや畳の上の寝床上と、前記車いす上との間を回転移動可能とされていることが望ましい。
【００１０】
このようにすれば、吊り下げ部材が吊り下げられている回転アームを回転移動させるだけで、被介護者を、ベッドや畳の上の寝床から車いすに、あるいは車いすからベッドや畳の上の寝床に移動させることができる。
【００１１】
請求項３に記載のように、前記回転アームは、スライド可動軸の上部に設けられ、前記スライド可動軸は、基台上に設けられる支持柱に対し昇降可能に設けられていることが望ましい。
【００１２】
このようにすれば、スライド可動軸を昇降させることで、介護補助マットあるいは折り畳み式いすを昇降させることができる。
【００１３】
請求項４に記載のように、前記基台には、キャスターが設けられ、移動可能であることが望ましい。
【００１４】
このようにすれば、移動させることで、複数のベッドや畳の上の寝床と、車いすとについて共用することができる。
【考案の効果】
【００１５】
本考案は、上記のように、介護補助マットあるいは折り畳み式いすが吊り下げ部材に吊り下げられることで、シートクッション部とシートバック部とがいす状に屈曲するようにしているので、被介護者を、いすに座っているのと同様に無理のない姿勢で、ベッドや畳の上の寝床から車いすに、あるいは車いすからベッドや畳の上の寝床に移動させることができる。
【図面の簡単な説明】
【００１６】
【図１】本考案に係る、介護補助装置の一実施の形態を示し、（ａ）は正面図、（ｂ）は側面図、（ｃ）は一部省略平面図である。
【図２】本考案に係る、介護補助マットを示し、（ａ）は平面図、（ｂ）は底面図、（ｃ）は側面図、（ｄ）は吊り下げた状態の側面図である。
【図３】本考案に係る、介護補助装置の他の実施の形態を示し、（ａ）は正面図、（ｂ）は側面図、（ｃ）は一部省略平面図である。
【図４】本考案に係る、介護補助装置の別の実施の形態を示す一部省略平面図である。
【考案を実施するための形態】
【００１７】
以下、本考案の実施の形態を図面に沿って説明する。
【００１８】
本考案の一実施の形態に係る、介護補助マットを用いた介護補助装置１は、図１〜図３に示すように、ベッド２の横に載置（固定）されて使用され、ベッド２と車いす３との間での被介護者の移動を補助するものである。
【００１９】
装置１は、キャスター１１を備えるベース１２（基台）を有し、目的とする場所に簡単に移動できるようになっている。ベース１２には、平面的に見て細長い矩形状の枠体部１２Ａと、この枠体１２Ａに設けられる基板部１２Ｂとを備え、この基板部１２Ｂの上側に駆動源としての電動モータや減速機が設けられ、それらが矩形箱状のカバー部材１３にて覆われ、外部から見えないようになっている。
【００２０】
また、ベース１２には、カバー部材１３を突き抜けて、上下方向に延びる中空の支持柱１４が立設されている。この支持柱１４には、図１（ａ）に示すように、装置１を移動させる際に把持する移動ハンドル１５、前記モータの駆動・停止を制御するリモコン操作部１６、ベッド２に装置１を移動不能に固定するためのベッド固定金具１７、支柱固定バンドなどが設けられている。
【００２１】
また、ベース１２の両側には、伸縮可能な水平安定脚１５が設けられている。この水平安定脚１５は、使用時には安定脚１５の長さを長くして一部がベット２の下側に位置するようにして、転倒しにくくする一方、移動時には安定脚１５の長さを短くして移動しやすくしている。なお、支持柱１４には、筋交い１８が設けられ、この点からも倒れにくくしている。
【００２２】
この支持柱１４内には中空のスライド可動軸２１が昇降可能に挿入されている。支持柱１４内には、具体的に図示していないが、カバー部材１３内の前記モータによって前記減速機を介して回転駆動されるネジ棒が配置され、このネジ棒に、スライド可動軸２１の下端の雌ねじ部が螺合している。これにより、前記ネジ棒を前記モータによって回転することで、前記ネジ棒と雌ねじ部との螺合関係で、スライド可動軸２１が、上下方向において回転することなく、一定範囲（例えば６５０ｍｍ程度）昇降するようになっている。
【００２３】
スライド可動軸２１の上端部には、筒状の上側部材２２が３６０°の範囲で回転可能に嵌合され、この上側部材２２に対し半径方向方向外方に延びるアーム２３と、そのアーム２３とは反対側に延びる回転ハンドル２４とが設けられている。この回転ハンドル２４を例えば介護者が持って、上側部材２２をスライド可動軸２１に対し１８０度の範囲で回転させることにより、アーム２３がベッド２上方に位置する状態とするか、ベッド２の横の車いす３の上方に位置する状態とするかを変更できるようになっている。
【００２４】
このアーム２３には、図１（ａ）に示すように、１対の吊り下げ部材２５を介して、被介護者の移動の際に使用される介護補助マット３１が吊り下げられている。
【００２５】
この介護補助マット３１は、ベッド２と車いす３との間での被介護者の移動時に乗るもので、図２に示すように、シートバック部３１Ａと、このシートバック部３１Ａに屈曲可能に連結されるシートクッション部３１Ｂとを備え、紐状部材３２の一端部がシートバック部３１Ａに、他端部がシートクッション部３１Ｂにそれぞれ連結されている。シートバック部３１Ａの上側、すなわちシートクッション部３１Ｂが設けられている側とは反対に枕部３１Ｃが設けられている。なお、紐状部材３２としては、撓みやすいベルト、鎖を柔らかいカバーで覆ったものなどを用いることができる。シートクッション部３１Ｂやシートバック部３１Ａは、フレーム材、クッション材などによって、必要とする形状が維持されるように形成されている。また、介護補助マット３１Ｂに代えて、折り畳み式のいすを用いることも可能である。これら介護補助マットや折り畳み式のいすは、逆折れ状態に畳むこともでき、不使用時に車いす上に収納しておく際に嵩張らないようにすることができる。
【００２６】
この紐状部材３２には、所定の位置にジョイント金具３３が設けられている。このジョイント金具３３は、アーム２３から吊り下げられている吊り下げ部材２５の下端のフック部が係止されもので、その金具３３を紐状部材３２に対して設ける位置は、スライド可動軸２１の上昇により、被介護者が介護補助マット３１と一緒に持ち上げられたときに、シートバック部３１Ａとシートクッション部３１Ｂとをいす状に屈曲させることができる位置となっている（図２（ｄ）参照）。具体的には、紐状部材３２は、シートバック部３１Ａとの連結部からジョイント金具３３までの第１の部分３２ａの長さとジョイント金具３３からシートクッション部３１Ｂとの連結部までの第２の部分３２ｂの長さとの比が１：２になるようにされている。
【００２７】
上記装置によれば、被介護者をベッド２から車いす３上に移動させる場合には、被介護者をベッド２の一側（車いす３と離れる側）に横になった状態で寄せ、他側（車いす３に近い側）に介護補助マット３１を敷き布団上に水平状態にしておく。それから、被介護者に介護補助マット３１上に移動してもらい仰向けに寝てもらう。
【００２８】
この後、紐状部材３２のジョイント金具３３に、アーム２３から垂れ下がる吊り下げ部材２５のフック（図示せず）を引っ掛ける。アーム２３を上昇させることにより介護補助マット３１と一緒に被介護者が吊り下げられた状態になる。このとき、被介護者は、介護補助マット３１によって形成されるいす上に着座した状態にあり、吊り上げられた状態においても安心していられる。
【００２９】
被介護者が介護補助マット３１に乗った状態で、モータ駆動によりネジ棒を回転し、スライド可動軸２１を支持柱１４より上方に突出させ、アーム２３を所定高さまで上昇させる。これは、リモコン操作部１６によるモータのＯＮ−ＯＦＦによって行われる。これにより、介護補助マット３１がベッド２上に浮き上がって、いす状になり、被介護者は身体に無理な負担がかかることなく、吊り下げられ、ブランコ状態となる。このとき、紐状部材３２の第１の部分３２ａと第２の部分３２ｂとの長さの比が１：２になるようにしているので、持ち上げる際に、シートバック部３１Ａ側から持ち上げられるようになり、被介護者の背中が持ち上げられた状態でシートクッション部３１Ｂが持ち上げられる。つまり、持ち上げるにつれて被介護者の身体が自然に着座状態になるように被介護者の姿勢が変化していくことになり、被介護者に無理な負担がかかることがない。
【００３０】
それから、回転ハンドル２４を把持して、アーム２３を１８０度回転して、介護補助マット３１に乗った被介護者を車いす３の中心上方に位置させる。
【００３１】
この状態で、モータ駆動により、前述した場合とは逆にアーム２３を下降させ、介護補助マット３１に乗った状態で被介護者は車いす３上に安定した状態で着座させる。
【００３２】
次いで、ジョイント金具３３と吊り下げ部材２５のフックとの連結を解除することで、介護補助マット３１の、介護補助装置１とのつながりが解除される。このとき紐状部材３２は邪魔にならないように、例えば介護補助マット３１と車いす３との間に挟み込む。これにより、被介護者は車いす３に乗って、目的地まで移動できる。
【００３３】
一方、目的地よりベッド２に戻ってくると、車いす３をアーム２３の下方位置に止め、紐状部材３２のジョイント金具３３に吊り下げ部材２５のフックを引っ掛ける。
【００３４】
それから、車いす３に乗せるときは逆の動作で、介護補助マット３１をベッド２の高さまで持ち上げ、回転して、ベッド２上に移動させる。
【００３５】
介護補助マット３１のジョイント金具３３らフックを取り外し、介護補助マット３１をベッド２上で水平にする。それから被介護者を横にして、介護補助マット３１を取り外し、仰向けに寝かす。このとき、取り外した介護補助マット３１は、車いす３に収納しておく。
【００３６】
前述した実施の形態では、電動モータを駆動源として、電気的にアーム２３を昇降させているが、本考案はそれに限定されるものではなく、スライド可動軸２１を昇降させる得る駆動源であれば、どのようなものであっても使用することができる。例えば図３（ａ）〜（ｃ）に示すように、油圧を利用してスライド可動軸２１を昇降させることも可能である。この場合には、スライド可動軸２１の下端に雌ねじ部に代えて第１のスライドブロック（図示せず）が、支持柱１４内にスライド移動可能なるように固定し、この第１のスライドブロックを油圧により移動させることで、スライド可動軸２１が昇降するようにすればよい。この第１のスライドブロックの移動は、この第１のスライドロックに傾斜状態のリンク部材の一端部を連結する一方、リンク部材の他端部を、支持柱１４と直交する方向に延びるスライドボックス４１内にスライド移動可能に設けられた第２のスライドブロックに連結し、第２のスライドブロックを、ステップ４２を踏むことで油圧ボックス４３からの油の流れによって、スライドボックス４１内を支持柱１４に向かって近づいたり離れたりさせることで実現される。
【００３７】
前記実施の形態では、介護補助装置１をベッド２の横に固定するようにしているが、畳上の寝床と車いすとの間の移動のような場合には、図４に示すように、回転可能な幅広の安定板５１Ａ，５１Ｂを設け、畳上の寝床Ｓから車いす３へ移動や車いす３から畳上の寝床Ｓへの移動の際には、安定板５１Ａ，５１Ｂを広げて使用する一方、介護補助装置を他の場所に移動させる場合には、安定板５１Ａ，５１Ｂを回転して装置の下側に収納して、移動の際の邪魔にならないようにすることも可能である。５２は電動モータを収納するモータボックス、５３は減速機を収納するギヤボックス、５４は移動ハンドル、５５はスライド安定軸である。このスライド安定軸５５は、Ｘ方向において３００ｍｍ程度の範囲でスライド可能とされている。なお、安定板５１Ａ，５１Ｂには上下位置調整ネジ５６が螺合され、広げて使用する場合には、下方に移動させて床面に接触するようにする一方、装置の下側に収納する場合には、上側に位置させて床面から浮いた状態とされる。
【００３８】
また、枕部に代えて、シートバック部３１Ａの上側に首当て部３１Ｄを設けることも可能である（図２（ａ）（ｂ）破線参照）。
【符号の説明】
【００３９】
１    介護補助装置
２    ベッド
３    車いす
１１    キャスター
２１    スライド可動軸
２３    アーム
２５    吊り下げ部材
３１    介護補助マット
３１Ａ    シートバック部
３１Ｂ    シートクッション部
３１Ｃ    枕部
３２    紐状部材
３３    ジョイント金具
【図１】
0003153589.tif 000003
【図２】
0003153589.tif 000004
【図３】
0003153589.tif 000005
【図４】
0003153589.tif 000006